(57)【要約】【課題】座体の上向き停止位置と、ねじりコイルばねの付勢力との両方の調整を行いうるようにするとともに、それらの調整を、脚柱前方の開放空間より容易に行いうるようにする。【解決手段】脚柱１の内側面に後端部が取付けられた１対のブラケット６、両ブラケット６の前端部に後端部が枢着された、座体を支持する１対の回動ブラケット７と、ブラケット６の収容部１８に収容されたねじりコイルばね１９とにより、座体支持ユニット８を構成し、ブラケット６における脚柱１よりも前方に突出する部分に、ねじりコイルばね１９の一端側の足片１９aを、ねじり荷重が大となる方向に押圧可能な、めねじ孔２８に螺合された調整ねじ２９と、回動ブラケット７に突設したストッパピン４１と当接することにより、座体の上向き停止位置を調整可能な、第２のめねじ孔４７に螺合された第２の調整ねじ４９とを設ける。【選択図】  図８
2008212520.tif 000002
【特許請求の範囲】
【請求項１】
左右の脚柱により、座体を、ほぼ水平をなす使用位置と、前上方を向く不使用位置との間を回動しうるように支持し、かつ付勢手段により、前記座体を、使用位置から不使用位置に自動的に回動させうるようにしてなる座体跳ね上げ式椅子において、
前記脚柱よりも前方に突出するようにして、その内側面に後端部が取付けられた１対のブラケットと、両ブラケットにおける前端部の内側面に後端部が枢着された、前記座体後部の両側部を支持する１対の回動ブラケットと、少なくともいずれか一方のブラケットと回動ブラケットとの対向面間に設けた収容部に収容された、前記付勢手段としてのねじりコイルばねとにより、座体支持ユニットを構成し、この座体支持ユニットにおける前記脚柱よりも前方に突出する部分に、前記ねじりコイルばねの一端側の足片を、ねじり荷重が大となる方向に押圧可能な付勢力調整手段と、前記ブラケットと回動ブラケットとの対向面のいずれか一方に突設したストッパ部材と当接することにより、前記座体の上向き停止位置を調整可能な停止位置調整手段とを設けたことを特徴とする座体跳ね上げ式椅子。
【請求項２】
付勢力調整手段を、ブラケットまたは回動ブラケットに設けられ、それらの外面と、ねじりコイルばねの収容部とに開口するめねじ孔と、このめねじ孔に螺合され、先端により前記ねじりコイルばねの一端側の足片を押圧可能な調整ねじとからなるものとし、停止位置調整手段を、前記ブラケットまたは回動ブラケットにおける前記めねじ孔と離間する位置に設けられ、それらの外面と、ストッパ部材が回動しうるように、ブラケットまたは回動ブラケットに設けられた円弧状の案内凹部の一端部内とに開口する第２のめねじ孔と、この第２のめねじ孔に螺合され、先端に前記ストッパ部材が当接しうる第２の調整ねじとからなるものとした請求項１記載の座体跳ね上げ式椅子。
【請求項３】
双方のめねじ孔を、ブラケットまたは回動ブラケットの上部に、上方に開口するようにして設けてなる請求項２記載の座体跳ね上げ式椅子。
【請求項４】
ブラケットを、内側面が開口するケース状に形成し、このブラケットの前端部内に、ねじりコイルばねの収容部と、案内凹部と、双方のめねじ孔を設け、かつ回動ブラケットの側面に、前記案内凹部に遊嵌されるストッパ部材を突設してなる請求項２または３記載の座体跳ね上げ式椅子。
【請求項５】
ストッパ部材に、緩衝材を設けてなる請求項１〜４のいずれかに記載の座体跳ね上げ式椅子。
【請求項６】
脚柱の内側面と、ブラケットの外側面とのいずれか一方に、複数の突部を、かつ他方に、前記突部に嵌合する凹部を設けてなる請求項１〜５のいずれかに記載の座体跳ね上げ式椅子。
【発明の詳細な説明】
【技術分野】
【０００１】
本発明は、例えば劇場や各種競技場の観覧席、講義室、ホール等において使用される座体跳ね上げ式の椅子に関する。
【背景技術】
【０００２】
この種の座体跳ね上げ式の椅子の中には、不使用時における座体の上向き停止位置を調整しうるようにしたものや、不使用時に座体を自動的に跳ね上げるばねの付勢力を調整しうるようにしたものがある(例えば特許文献１〜３参照)。
【特許文献１】実開昭６２−１８２６５２号公報
【特許文献２】特開平１１−１７８６６９号公報
【特許文献３】特開平２００６−１５２５４４号公報
【発明の開示】
【発明が解決しようとする課題】
【０００３】
上記特許文献１に記載されている椅子は、不使用時の座体の上向き停止位置のみを、特許文献２及び３に記載の椅子は、座体を自動的に跳ね上げるねじりコイルばねの付勢力のみを、それぞれ調整可能としたものであるため、それらの両方を調整することはできない。
【０００４】
また、上記特許文献１〜３に記載の椅子は、いずれも、座体を支持している枢軸が、左右の脚体(脚柱)の対向面間に配設され、かつこの枢軸に、ねじりコイルばねが直接嵌合されているため、座体の上向き停止位置調整用と、ねじりコイルばねの付勢力調整用の２つの調整手段を設けることは、スペース的に難しく、しかも、調整手段を操作する作業空間が狭いので、作業性が悪い。
【０００５】
さらに、上記特許文献１に記載されている椅子においては、座体が不使用位置に回動したとき、座体を上向きに付勢するねじりコイルばねと、ストッパに設けた圧縮コイルばねとの付勢力をバランスさせて、座体を上向きの定位置に停止させるようになっているため、双方のばねがへたるなどして、両者の付勢力に少しでも差が生じると、座体の不使用位置での停止位置がずれ、左右方向に並ぶ座体の停止位置が不揃いとなって、見栄えが悪くなる。
【０００６】
特許文献２に記載の椅子は、座体の上向き付勢力を調整する際に、ねじりコイルばねの一端部を、複数設けた係合孔(溝部)から一旦抜き去り、いずれかの係合孔を選択して再係合させなければならないので、その作業が面倒であり、劇場等に多数設置される椅子を個別に調整しようとすると、多くの時間を要する。
さらに、上記特許文献２及び３に記載の椅子におけるねじりコイルばねは、外部に露呈して組み付けられているので、特に、椅子を跳ね上げた際の見栄えが悪い。
【０００７】
本発明は、上記問題点に鑑みてなされたもので、座体の上向き停止位置と、ねじりコイルばねの付勢力との両方の調整を行いうるようにするとともに、それらの調整を、脚柱前方の開放空間より容易に行いうるようにし、かつねじりコイルばねや調整手段が外部に露呈しないようにして、見栄えを向上させうるようにした、座体跳ね上げ式椅子を提供することを目的としている。
【課題を解決するための手段】
【０００８】
本発明によると、上記課題は、次のようにして解決される。
（１）左右の脚柱により、座体を、ほぼ水平をなす使用位置と、前上方を向く不使用位置との間を回動しうるように支持し、かつ付勢手段により、前記座体を、使用位置から不使用位置に自動的に回動させうるようにしてなる座体跳ね上げ式椅子において、前記脚柱よりも前方に突出するようにして、その内側面に後端部が取付けられた１対のブラケットと、両ブラケットにおける前端部の内側面に後端部が枢着された、前記座体後部の両側部を支持する１対の回動ブラケットと、少なくといずれか一方のブラケットと回動ブラケットとの対向面間に設けた収容部に収容された、前記付勢手段としてのねじりコイルばねとにより、座体支持ユニットを構成し、この座体支持ユニットにおける前記脚柱よりも前方に突出する部分に、前記ねじりコイルばねの一端側の足片を、ねじり荷重が大となる方向に押圧可能な付勢力調整手段と、前記ブラケットと回動ブラケットとの対向面のいずれか一方に突設したストッパ部材と当接することにより、前記座体の上向き停止位置を調整可能な停止位置調整手段とを設ける。
【０００９】
（２）上記(１)項において、付勢力調整手段を、ブラケットまたは回動ブラケットに設けられ、それらの外面と、ねじりコイルばねの収容部とに開口するめねじ孔と、このめねじ孔に螺合され、先端により前記ねじりコイルばねの一端側の足片を押圧可能な調整ねじとからなるものとし、停止位置調整手段を、前記ブラケットまたは回動ブラケットにおける前記めねじ孔と離間する位置に設けられ、それらの外面と、ストッパ部材が回動しうるように、ブラケットまたは回動ブラケットに設けられた円弧状の案内凹部の一端部内とに開口する第２のめねじ孔と、この第２のめねじ孔に螺合され、先端に前記ストッパ部材が当接しうる第２の調整ねじとからなるものとする。
【００１０】
（３）上記(２)項において、双方のめねじ孔を、ブラケットまたは回動ブラケットの上部に、上方に開口するようにして設ける。
【００１１】
（４）上記(２)または(３)項において、ブラケットを、内側面が開口するケース状に形成し、このブラケットの前端部内に、ねじりコイルばねの収容部と、案内凹部と、双方のめねじ孔を設け、かつ回動ブラケットの側面に、前記案内凹部に遊嵌されるストッパ部材を突設する。
【００１２】
（５）上記(１)〜(４)項のいずれかにおいて、ストッパ部材に、緩衝材を設ける。
【００１３】
(６）上記(１)〜(５)項のいずれかにおいて、脚柱の内側面と、ブラケットの外側面とのいずれか一方に、複数の突部を、かつ他方に、前記突部に嵌合する凹部を設ける。
【発明の効果】
【００１４】
請求項１記載の発明によれば、脚柱に取付けたブラケットと、それに枢着した座体支持用の回動ブラケットとよりなる座体支持ユニットに、ねじりコイルばねの付勢力調整手段と、座体の上向きの停止位置調整手段との２つの調整手段を設けたことにより、座体の跳ね上げ力と、座体不使用時の上向きの停止位置との両方を調整することができる。
また、付勢力調整手段と停止位置調整手段は、座体支持ユニットにおける脚柱よりも前方に突出する部分に設けられているので、それらを、脚柱の前方の開放空間から容易に操作することができる。
【００１５】
さらに、回動ブラケットは、その後端部がブラケットの前端部に枢着されているので、ブラケット、回動ブラケット、ねじりコイルばね、及び２つの調整手段を予め組付けてユニット化し、ブラケットの後端部を脚柱の内側面に固定するだけでよく、座体支持ユニットの組付作業が能率的となる。
さらにまた、座体支持ユニットは、２つのブラケットを備え、かつそれらの対向面間の収容部に、ねじりコイルばねを収容しているので、このばねの組付けが容易であるとともに、外部に露呈しないので、見栄えがよい。
【００１６】
請求項２記載の発明によれば、双方のめねじ孔に螺合した調整ねじを回動操作するだけで、ねじりコイルばねの付勢力、すなわち座体の跳ね上げ力と、座体不使用時の上向き停止位置とを、容易に微調整することができる。
また、双方の調整ねじは、各めねじ孔内に螺合され、外部に露呈しないので、見栄えがよい。
【００１７】
請求項３記載の発明によれば、双方のめねじ孔は、上方に開口しているので、それらに螺合した調整ねじを、上方から極めて容易に回動操作することができる。
【００１８】
請求項４記載の発明によれば、ブラケットを、内側面が開口するケース状に形成し、その前端部内に、ねじりコイルばねの収容部と、案内凹部と、双方のめねじ孔を設けたことにより、回動ブラケットを、ストッパ部材が突設された、座体を支持するだけの簡単な形状とすることができるとともに、ブラケットは不動であるため、両調整手段の調整作業が容易である。
【００１９】
請求項５記載の発明によれば、ストッパ部材が、第２の調整ねじ、及びそれと反対側の案内凹部の端部に当接して停止した際の衝撃音を、小さくすることができる。
【００２０】
請求項６記載の発明によれば、脚柱にブラケットを取付ける際の位置決めが容易となるとともに、前方に突出するようにして脚柱に取付けたブラケットの後端部に作用する下向きの回転モーメントを、突部と凹部とにより受けることができるので、ブラケットの後端部の脚柱に対する取付強度を大とすることができる。
【発明を実施するための最良の形態】
【００２１】
以下、本発明の一実施形態を、図面に基づいて説明する。
図１は、本発明を適用した座体跳ね上げ式の連結椅子の使用状態の斜視図、図２は、同じく、座体が跳ね上がった不使用状態の斜視図、図３は、同じく、拡大側面図である。
【００２２】
連結椅子は、床面にアンカボルト等により所定間隔おきに固定された左右複数(実施形態では４本)の脚柱１における互いに隣接するものの間に、複数(３個)の単体椅子２を取付けて構成されている。
【００２３】
各脚柱１は、例えばアルミニウム合金により、上部が後傾するように成形され、その上端には、上面にクッション材よりなる肘当て３が取付けられた肘掛け４が、前向きに一体的に連設されている。
【００２４】
各単体椅子２は、互いに隣接する脚柱１の後端部の対向面(内側面)に、若干後傾させて下半部が固定された背凭れ５と、両脚柱１の中間部の内側面に固着された前方を向く左右１対のブラケット６及びそれらの前端部に後端部が枢着された左右１対の回動ブラケット７とを備える座体支持ユニット８により、上向きに回動可能に後端部の左右両側部が支持された座体９とからなっている。
【００２５】
図４〜図７は、座体支持ユニット８の詳細を示す斜視図で、図４と図５は、脚柱１に座体支持ユニット８を取付ける前の状態を、それぞれ左右反対方向より見た分解斜視図、図６と図７は、脚柱１に座体支持ユニット８を取付けた後の状態を左右反対方向より見た斜視図である。なお、各単体椅子２の座体９を支持している左右の脚柱１及び左右１対の座体支持ユニット８は、左右勝手違いで、同一構造であるため、以下の説明は、正面視左側の１個の脚柱１及びその内側面に取り付けられる座体支持ユニット８についてのみ行い、他のものの詳細な説明は省略する。
【００２６】
図４及び図５に示すように、ブラケット６は、例えばアルミニウム合金等のダイカスト製品であり、前後方向を向く側壁１０と、その外周縁に内向きに連設された、前面が円弧面をなす周壁１１とにより、内側方に開口するケース状に形成されている。周壁１１により囲まれた側壁１０の後側の内面には、補強用の複数のリブ１２と突部１３が突設されている。
【００２７】
図１０の断面図にも示すように、側壁１０の前部側の内側面には、内側方に開口する軸孔１４を有する筒部１５が、左右方向内向きに突設されている。
また、側壁１０の前部側の内側面には、筒部１５を囲むようにして、厚肉部１６が形成され、この厚肉部１６には、筒部１５を中心とする円弧状の１対の案内凹部１７、１７が、筒部１５を挟んで対向するように形成されている(図８参照)。この両案内凹部１７は、詳細は後述するが、座体９の上下方向の回動範囲を規制するものである。筒部１５と厚肉部１６との間には、ねじりコイルばね１９が遊嵌される収容部としての嵌合溝１８が形成されている。
【００２８】
図５に示すように、ブラケット６の側壁１０の外側面には、筒部１５と同心をなす円形凹部２０が形成され、この円形凹部２０内の側壁１０には、回動ブラケット７取付用のボルト２１と、円筒形スペーサ２２とが嵌合される通孔２３が、筒部１５と同心をなして軸孔１４と連通するように穿設されている。
【００２９】
２４は、円形凹部２０に対する円形カバーで、その内側面に突設された３個の係合片２５を、円形凹部２０内の側壁１０に穿設された３個の係合孔２６に嵌合することにより、円形凹部２０に止着されるようになっている(図１０参照)。
【００３０】
ねじりコイルばね１９の一端側(外側端側)の足片１９aは、円形凹部２０内の側壁１０に穿設された、上下方向を向いて円弧状をなす掛止長孔２７に、上下に移動可能に嵌合して掛止され(図１１参照)、同じく他端側(内側端側)の足片１９bは、回動ブラケット７に設けられた後記する掛止孔４３に掛止されるようになっている。
【００３１】
ブラケット６の前後方向の中間部には、掛止長孔２７の上方の厚肉部１６と周壁１１を貫通する上下方向を向くめねじ孔２８が、掛止長孔２７の上端と連通するようにして穿設され、このめねじ孔２８には、上面に六角孔(図示略)を有する調整ねじ２９が、その下端がねじりコイルばね１９の足片１９aの上面と当接しうるように螺合されている(図１１参照)。
【００３２】
図４及び図８の拡大図に示すように、ブラケット６の後部には、左右方向を向く３個の取付孔３０が貫設され、また、脚柱１の中間部の内側面における前部寄りに突設された３個の内向突部３１には、内方に開口するめねじ孔３２が、各取付孔３０と整合するようにして形成されている。
【００３３】
図５に示すように、上下の取付孔３０間の側壁１０には、上下２個の位置決め孔３３、３３が穿設され、両位置決め孔３３は、図４に示すように、脚柱１の内側面に突設された上下２個の位置決め突部３４、３４に嵌合して位置決めされるようになっている。
【００３４】
このように、位置決め突部３４に位置決め孔３３を嵌合すると、単に位置決めが容易となるだけでなく、ブラケット６の後端部に作用する下向きの回転モーメントを、位置決め突部３４と位置決め孔３３により受けることができるので、座体支持ユニット８の後端部の脚柱１に対する取付強度を大とすることができる。なお、上記とは反対に、ブラケット６側に位置決め突部を、脚柱１側に位置決め孔を設けてもよい。
脚柱１の中間部における前端部の側縁には、ブラケット６の外側端部を嵌合して上下方向の位置決めを行うための切欠き凹部１aが形成されている。
【００３５】
図５に示すように、脚柱１の共通化を図るために、上記めねじ孔３２と位置決め突部３４は、各脚柱１の左右両側面に設けられており、最外方に配置される脚柱１におけるめねじ孔３２や位置決め突部３４等については、図示しないカバーにより体裁よく覆ってある。
【００３６】
位置決め突部３４に位置決め孔３３を嵌合したのち、各取付孔３０に内側方より挿入したボルト３５の先端部を、各めねじ孔３２に螺合して締め付けることにより、ブラケット６は、脚柱１の中間部内側面に、前半部を脚柱１の前方に突出した状態で固着されている。
【００３７】
図４、図５及び図１０に示すように、上述した回動ブラケット７は、座体９の後端部の左右両側部下面に固定される内向水平片３６と、その外側端より起立する、上下寸法が後方に向かって漸次大とされた上向片３７とを備える鋼板製のものよりなり、上向片３７の後端部には、大径孔３８と、互いに対向する２個の小径孔３９、３９とが、外周縁部同士が互いに連続するようにして穿設されている。
【００３８】
上向片３７の後端部の内側面には、左右方向外向きの枢軸４０と、この枢軸４０を挟んで径方向に互いに対向する外向きの１対のストッパピン４１、４１とが、外側面に溶接された金属製の補強板４２を、枢軸４０を大径孔３８の中心に位置させるとともに、両ストッパピン４１を小径孔３９に挿通させて、溶接により固着されている。補強板４２には、ねじりコイルばね１９の内側端側の足片１９bを掛止するための掛止孔４３が穿設されている。
【００３９】
なお、上記掛止孔４３とブラケット６に設けた掛止長孔２７及びねじりコイルばね１９における両足片１９a、１９bとの位置関係は、回動ブラケット７又はこれに取付けられた座体９を水平方向に回動させたとき、ねじりコイルばね１９にねじり荷重が加わり、このねじり荷重による上向き付勢力により、座体９が自動的に跳ね上げられるように設定されている。
【００４０】
枢軸４０の中心には、上記ボルト２１を螺合しうる、外側方に開口するめねじ孔４４が形成されている。
両ストッパピン４１には、ゴム等よりなる円筒形の緩衝材４５が圧嵌されている。
【００４１】
ブラケット６に回動ブラケット７を取付けるには、まずブラケット６の内側面に形成された嵌合溝１８に、ねじりコイルばね１９を収容し、その外側端側の足片１９aを、ブラケット６の側壁１０の掛止長孔２７に遊嵌する。
【００４２】
ついで、回動ブラケット７の掛止孔４３に、ねじりコイルばね１９の内側端側の足片１９bを嵌合したのち、図８及び図１０に示すように、ブラケット６の筒部１５の軸孔１４に圧嵌された鍔付きブッシュ４６に、回動ブラケット７の枢軸４０を、１対のストッパピン４１、４１が、ブラケット６の１対の案内凹部１７、１７内に位置するようにして、回動可能に嵌合する。なお、回動ブラケット７の掛止孔４３に、ねじりコイルばね１９の足片１９bを嵌合して掛止する作業は、ねじりコイルばね１９を無負荷状態として、すなわち、回動ブラケット７を斜め上向きに回動させた状態で行えば、作業をし易い。
【００４３】
ついで、ブラケット６の側壁１０の通孔２３に、スペーサ２２とボルト２１を順に嵌合し、ボルト２１の先端部を、枢軸４０のめねじ孔４４に螺合して締め付ける。この際、スペーサ２２の先端が枢軸４０の端面に当接し、ボルト２１の締付力がブラケット６と回動ブラケット７に直接加わらないので、回動ブラケット７は、ブラケット６に対し、筒部１５を中心として支障なく回動することができる。ボルト２１の頭部は、側壁１０の円形凹部２０に止着した円形カバー２４により、目隠しされる。
【００４４】
図６及び図７は、脚柱１への座体支持ユニット８の取付け終了状態を示し、最後に、左右の回動ブラケット７における内向水平片３６に座体９を取付ければよい。なお、図６及び図７では、便宜上、回動ブラケット７を下向きに回動させた状態を示しているが、実際には、図８の２点鎖線のように、ねじりコイルばね１９の上向き付勢力により、回動ブラケット７は斜め前上方を向く不使用位置となる。
【００４５】
図８及び図９に示すように、回動ブラケット７が上下方向に回動すると、それに設けた１対のストッパピン４１、４１が、ブラケット６の１対の案内凹部１７、１７内を回動するが、回動ブラケット７の不使用位置での停止位置を、次のようにして調整することができる。
【００４６】
図８に示すように、ブラケット６の後部側の案内凹部１７の直下には、下端面と、案内凹部１７の下端、すなわちストッパピン４１が座体９の起立方向に回動する側の一端部に向かって開口する上下方向を向く第２のめねじ孔４７が設けられ、この第２のめねじ孔４７には、上端面に小径突部４８を有するとともに、下端面に六角孔(図示略)を有する第２の調整ねじ４９が螺合されている。
【００４７】
第２の調整ねじ４９の小径突部４８の上端には、ストッパピン４１に嵌合された緩衝材４５の下面が当接するようになっている。従って、第２の調整ねじ４９の案内凹部１７内への突出量を変えることにより、回動ブラケット７の不使用位置での停止位置を調整することができる。
【００４８】
このように、回動ブラケット７の不使用位置での停止位置を調節可能とすると、特に連結椅子において、各部材に組付誤差等が生じても、左右方向に並ぶ全ての座体９の不使用時における上向き位置を、定位置に揃えることができ、見栄えがよくなる。なお、上記第２のめねじ孔４７は、目立つのを防止するために、ブラケット６の下方に設けてあるが、それを、前部の案内凹部１７の直上に設けて、前部のストッパピン４１の上端が調整ねじの下端に当接するようにしてもよい。
【００４９】
図９に示すように、回動ブラケット７を、ほぼ水平をなす位置まで回動させると、その両ストッパピン４１に嵌合した緩衝材４５が、各案内凹部１７における回転方向(反時計方向)の一端面と当接することにより、回動ブラケット７及びそれに取付けられた座体９は、使用位置で停止させられる。
【００５０】
一方、回動ブラケット７及びそれに取付けた座体９の跳ね上げ力を、次のようにして調節することができる。
図１１に示すように、ブラケット６に設けた上下方向を向く掛止長孔２７には、ねじりコイルばね１９の一端側の足片１９aが、上下動可能に遊嵌され、かつ掛止長孔２７の直上に形成された上下方向を向くめねじ孔２８には、調整ねじ２９が、その下端が足片１９aの上端と当接するように螺合されているため、調整ねじ２９を下方にねじ込むと、足片１９aは下方に押圧させられる。
【００５１】
これにより、ねじりコイルばね１９の初期ねじり荷重が大となり、回動ブラケット７の上向き付勢力が大きくなることにより、座体９の跳ね上げ力も大となる。
従って、長期間の使用により、ねじりコイルばね１９にへたりが生じた際等に、そのねじり荷重を大として、座体９の跳ね上げ力を最適に調節することができる。
なお、ねじりコイルばね１９の足片１９aを掛止する掛止長孔２７及びそれと連通するめねじ孔２８の位置は、上記めねじ孔４７と干渉しない位置であれば、ブラケット６の前端部のどの位置に設けてもよく、この際には、その位置に対応して、足片１９aの円周方向の位置を変えればよい。
【００５２】
また、上記とは反対に、他方の足片１９bを掛止している回動ブラケット７側の掛止孔４３を長孔とし、この長孔に嵌合した足片１９bを、上記の要領で押圧するようにすることもできる。この際には、上記と同様のめねじ孔２８が設けられるように、少なくとも掛止孔４３を設けた部分の回動ブラケット７の板厚を大とすればよい。
上記両めねじ孔２８、４７は、調整後又は調整が不要なときには、キャップ等で塞いでおくのがよい。
【００５３】
以上説明したように、上記実施形態の跳ね上げ式椅子においては、脚柱１に後端部が固定されたブラケット６にねじりコイルばね１９を収容し、その一端側の足片１９aを、ブラケット６のめねじ孔２８に螺合した調整ねじ２９により押圧するだけで、ねじりコイルばね１９の付勢力、すなわち座体９の跳ね上げ力を簡単に調整することができる。
【００５４】
しかも、めねじ孔２８は、ブラケット６における脚柱１よりも前方に突出している部分の上部に、上方に開口させて設けられているので、脚柱１の前上方の開放空間より、調整ねじ２９を、極めて楽な姿勢で回動操作でき、座体９の跳ね上げ力の調整作業を容易に行うことができる。
また、ねじりコイルばね１９は、両ブラケット６、７により完全に隠蔽され、外部に露呈していないので、見栄えが向上する。
【００５５】
回動ブラケット７及びそれにより支持された座体９の不使用位置での上向き停止位置を、ブラケット６の第２のめねじ孔４７に螺合した第２の調整ねじ４９を回動操作するだけで、容易に、かつ正確に調整することができ、劇場等に多数設置される連結椅子における左右方向に並ぶ全ての座体９を、定位置に見栄えよく揃えることができる。
【００５６】
また、第２のめねじ孔４７は、上記と同様、ブラケット６における脚柱１よりも前方に突出している部分に設けられているので、脚柱１の前下方の開放空間を利用して、第２の調整ねじ４９を回動操作でき、座体９の上向き停止位置の調整作業を容易に行うことができる。
【００５７】
座体支持ユニット８を、ブラケット６と、それに枢着された回動ブラケット７と、両ブラケット６、７間に収容されたねじりコイルばね１９とよりなるものとし、かつ座体９の枢軸４０が、脚柱１より前方に位置するように、ブラケット６の前端部に回動ブラケット７の後端部を枢着し、ブラケット６の後端部を、脚注１の内側面に固定するようにしているため、両ブラケット６、７及びねじりコイルばね１９等を予め組み付け、座体支持ユニット８をユニット化した状態で、脚柱１に簡単に取付けることができ、組付作業が能率的となる。
【００５８】
なお、上記実施形態では、回動ブラケット７側に、枢軸４０とストッパピン４１及びねじりコイルばね１９の嵌合溝１８を、ブラケット６側に、枢軸４０が嵌合される筒部１５と、ストッパピン４１の案内凹部１７を、ぞれぞれ設けているが、これとは反対に、ブラケット６側に、枢軸、ストッパピン及び嵌合溝を、回動ブラケット７側に、筒部と案内凹部を、それぞれ設けることもある。
この際には、回動ブラケット７の上向片３７を、外側面が開口するケース状とするとともに、ブラケット６を板状とすればよい。
また、回動ブラケット７を省略して実施することも可能であり、この際には、座体９の側面に、枢軸４０とストッパピン４１を直接突設すればよい。
【００５９】
さらに、上記実施形態では、ストッパピン４１を１対設け、これらを、対向する１対の案内凹部１７に遊嵌しているが、第２の調整ねじ４９と当接する側のストッパピン４１及びその案内凹部１７のみとし、他方のストッパピン４１とその案内凹部１７を省略することもある。
【００６０】
上記実施形態においては、調整ねじ２９が螺合されるめねじ孔２８を、掛止長孔２７に向かって開口するように設けているが、ねじりコイルばね１９が収容される嵌合溝(収容部)１８に開口し、この嵌合溝１８内において、ねじりコイルばね１９の足片１９aを、上方より調整ねじ２９をもって押圧するようにしてもよい。この際には、調整ねじ２９の下面に、足片１９aが嵌合される上向きの凹溝等を設け、調整ねじ２９の下面と足片１９aとの当接部の位置ずれを防止するようにするのがよい。
【００６１】
上記実施形態では、後部側のストッパピン４１を、第２の調整ねじ４９の上端と当接させて、座体９を不使用位置に停止させているが、ブラケット６における前部側のストッパピン４１の案内凹部１７の上方に、第２のめねじ孔４７を、ほぼ上下方向を向くように設け、この第２のめねじ孔４７に螺合した第２の調整ねじ４９の下端に、前部側のストッパピン４１の上面を当接させて、座体９を不使用位置に停止させるようにしてもよい。このようにすると、双方のめねじ孔２８、４７が上方に開口するので、調整ねじ２９、４９の回動操作が容易となる。
【００６２】
上記実施形態では、左右の座体支持ユニット８の両方に、ねじりコイルばね１９や座体９の跳ね上げ力、及び上向き停止位置を調整するめねじ孔２８、４７を設けたが、それらを、いずれか一方のみに設けることもある。
【図面の簡単な説明】
【００６３】
【図１】本発明を適用した連結椅子における座体使用時の斜視図である。
【図２】同じく、座体不使用時の斜視図である。
【図３】同じく、拡大側面図である。
【図４】脚柱への座体支持ユニット取付け前の状態を右方より見た分解斜視図である。
【図５】同じく、左方より見た分解斜視図である。
【図６】脚柱への座体支持ユニット取付け後の状態を右方より見た斜視図である。
【図７】同じく、左方より見た斜視図である。
【図８】回動ブラケットを不使用位置としたときの要部の拡大内側面図である。
【図９】同じく、使用位置としたときの要部の拡大内側面図である。
【図１０】図９のX-X線拡大横断平面図である。
【図１１】同じく、XI-XI線拡大縦断側面図である。
【符号の説明】
【００６４】
１    脚柱
１a   切欠き凹部
２    単体椅子
３    肘当て
４    肘掛け
５    背凭れ
６    ブラケット
７    回動ブラケット
８    座体支持ユニット
９    座体
１０  側壁
１１  周壁
１２  リブ
１３  突部
１４  軸孔
１５  筒部
１６  厚肉部
１７  案内凹部
１８  嵌合溝(収容部)
１９  ねじりコイルばね
１９a 足片
１９b 足片
２０  円形凹部
２１  ボルト
２２  スペーサ
２３  通孔
２４  円形カバー
２５  係合片
２６  係合孔
２７  掛止長孔
２８  めねじ孔
２９  調整ねじ
３０  取付孔
３１  内向突部
３２  めねじ孔
３３  位置決め孔(凹部)
３４  位置決め突部(突部)
３５  ボルト
３６  内向水平片
３７  上向片
３８  大径孔
３９  小径孔
４０  枢軸
４１  ストッパピン(ストッパ部材)
４２  補強板
４３  掛止孔
４４  めねじ孔
４５  緩衝材
４６  鍔付きブッシュ
４７  第２のめねじ孔
４８  小径突部
４９  第２の調整ねじ
【図１】
2008212520.tif 000003
【図２】
2008212520.tif 000004
【図３】
2008212520.tif 000005
【図４】
2008212520.tif 000006
【図５】
2008212520.tif 000007
【図６】
2008212520.tif 000008
【図７】
2008212520.tif 000009
【図８】
2008212520.tif 000010
【図９】
2008212520.tif 000011
【図１０】
2008212520.tif 000012
【図１１】
2008212520.tif 000013